(57)【特許請求の範囲】
【請求項１】
データ受信中にトレーニング信号のパターンが検出されると自動的にデータ受信から制御信号の通信へ移行するモードを有しているモデムを用いてデータ通信を行う通信装置において、
前記モデムによるデータの受信状態を判別する判別手段と、
前記判別手段により判別された前記モデムによるデータの受信状態に応じて前記モデムの前記モードを動作状態／非動作状態に選択的に切換える切換手段を有し、
前記切換手段は、前記モデムによるデータ通信への移行に応じて前記モードを非動作状態に設定し、前記判別手段により前記モデムによるデータの受信状態が良好でないと判別すると、前記モードを動作状態に設定することを特徴とする通信装置。
【請求項２】
請求項１において、前記切換手段を動作させるタイミングを決定するためのタイマ手段を有することを特徴とする通信装置。
【請求項３】
請求項２において、前記タイマ手段のカウント時間を任意に設定可能としたことを特徴とする通信装置。
【請求項４】
請求項１において、前記モデムは、ＩＴＵ−Ｔ勧告のＶ．３４に準拠したモデムであることを特徴とする通信装置。
【請求項５】
ＩＴＵ−Ｔ勧告のＶ．３４に準拠したモデムを用いてデータ及び制御信号の通信を行い、データ受信の完了に応じて制御信号の通信へ移行する通信装置において、
前記制御信号の通信におけるリトレーン制御へ移行するタイミングを決定するためのタイマーと、
前記タイマーの値を勧告に規定されている時間よりも短い時間に設定し、短い時間間隔でリトレーン制御を実行させる手段を有することを特徴とする通信装置。
【請求項６】
データ受信中にトレーニング信号のパターンが検出されると自動的にデータ受信から制御信号の通信へ移行するモードを有しているモデムを用いてデータ通信を行う通信方法において、
前記モデムによるデータの受信状態を判別し、
前記判別された前記モデムによるデータの受信状態に応じて前記モデムの前記モードを動作状態／非動作状態に選択的に切換え、前記モデムによるデータ通信への移行に応じて前記モードを非動作状態に設定し、前記モデムによるデータの受信状態が良好でない場合に、前記モードを動作状態に設定することを特徴とする通信方法。
【請求項７】
請求項６において、前記モデムは、ＩＴＵ−Ｔ勧告のＶ．３４に準拠したモデムであることを特徴とする通信方法。
【請求項８】
請求項７において、前記制御信号の通信におけるリトレーン制御へ移行するタイミングを前記勧告に規定されている時間よりも短い時間に設定し、短い時間間隔でリトレーン制御を実行させることを特徴とする通信方法。
【発明の詳細な説明】
【０００１】
【発明の属する技術分野】
本発明は、データ受信中にトレーニング信号のパターンが検出されると自動的にデータ受信から制御信号の通信へ移行するモードを有しているモデムを用いて画像データテキストデータ等のデータ通信を行う通信装置及び通信方法に関するものである。
【０００２】
【従来の技術】
近年、モデムの伝送速度が速くなってきており、ファクシミリ等の通信装置においても、ＩＴＵ−Ｔ勧告のＶ．３４の２８．８ｋｂｐｓのモデムが実現可能となってきている。このような高速伝送を行うモデムを用いて、ファクシミリ通信を行う場合、Ｖ．３４通信の画像データは連続するスーパーフレーム（２８０ｍｓ）で構成されている。その為に、画像信号の通信中に回線信号の瞬断が発生した場合、スーパーフレームの通信の同期を失い、そのスーパーフレームの通信の再同期を取るまでの時間のフレームの画像データを受信できなくなる。又、技術的にも再同期をとるための処理が複雑であるために、実質的に３０ｍｓ以上の回線信号の瞬断が発生した場合には、再同期をとることができず、瞬断が発生した以降は、正常に画像データをできなくなってしまう。
【０００３】
又、Ｖ．３４モデムの中には、画像信号の受信中にトレーニング信号のパターンが検出されると自動的に画像信号の受信からトレーニング信号の受信へ移行するモードを有しているものがある。このモードを非動作状態とすると、モデムは、画像信号の受信中にトレーニング信号と同じ信号パターンが受信されても画像信号の受信からトレーニング信号の検出へ移行しないので、そのまま画像信号の受信を続行するので、信号の瞬断時に、画像信号を受信するチャネルのままで保持され、信号の瞬断が極めて短い時間であれば、その画像信号の受信中に再同期が取れるとそのまま画像信号の受信を行うことができる。しかし、上記モードを非動作状態にすると、画像信号の終わりに付加されている（画像信号のブロックの終わりに付加されている）ところのＲＣＰ信号（コントロールチャネルの信号通信へ移行するための信号）を検出した場合にのみ、コントロールチャネルの通信（制御信号の通信）へ移行する。この為に、画像信号の受信中に３０ｍｓ以上の信号の瞬断が発生すると、モデムが発散してしまいＲＣＰ信号を検出できず、このためにコントロールチャネルの信号通信へ移行できず、後手順を行うことができず通信がエラー終了してしまう。
【０００４】
又、上記モードを動作状態にすると、ＲＣＰ信号が正常に受信され検出されなくても、画像信号の受信からコントロールチャネルの信号通信へ移行できるので、後手順を行うことができる反面、受信された画信号中にトレーニング信号と同じパターンが含まれていた場合、モデムは、画信号中のそのパターンをトレーニング信号と誤検出してしまい、モデム内のイコライザを初期状態にして発散してしまうために、それ以降の画像信号の受信ができなくなってしまう。又、信号の瞬断が発生した場合には、すぐに画像信号の受信からコントロールチャネルの信号通信へ移行してしまうために、通信途中でタイムアウトしてしまう場合がある。
【０００５】
【発明が解決しようとする課題】
即ち、上述のＶ．３４モデムのような高速伝送を行うモデムを用いて、データの通信を行う場合、従来のＶ．１７モデムのような１４．４ｋｂｐｓ以下でデータ伝送するものに比べて、回線信号の瞬断の影響を受け易くなり、その為に通信エラーとなるケースが多くなってしまう。
【０００６】
そこで、本発明の目的は、上述のＶ．３４モデムのように高速伝送可能なモデムを用いてデータ通信を行う通信装置において、データ通信中に回線信号の集団が発生したような場合にも、データ通信から制御信号の通信へ適切に移行できるようにし、瞬断が発生しても通信を継続することが可能な通信装置を提供することにある。
【０００７】
【課題を解決するための手段】
その為に、本発明では、上述のようなデータ受信中にトレーニング信号のパターンが検出されると自動的にデータ受信から制御信号の通信へ移行するモードを有しているモデムを用いて通信を行う通信装置において、前記モデムによるデータの受信状態を判別する判別手段と、前記判別手段により判別した前記モデムによるデータの受信状態に応じて前記モデムの前記モードを動作状態／非動作状態に選択的に切換える手段を設け、前記切換手段は、前記モデムによるデータ通信への移行に応じて前記モードを非動作状態に設定し、前記判別手段により前記モデムによるデータの受信状態が良好でないと判別すると、前記モードを動作状態に設定するようにし、これにより、データ通信中に信号の瞬断が発生してもデータ通信から制御信号の通信へ移行できるようにし、通信動作を継続できるようにしたものである。
【０００８】
又、前記モードの切換手段を動作させるタイミングを制御するためのタイマ手段を更に設けたものである。
【０００９】
又、前記タイマ手段をのカウント時間を任意に設定可能にしたものである。
【００１０】
又、前記判別手段により、前記モデムによるデータの受信状態が良好であるか否かを判別し、その判別結果に従って前記モデムの前記モードを切換えるようにしたものである。
【００１１】
【発明の実施の形態】
以下、図面を参照して本発明の実施の形態を詳細に説明する。
【００１２】
本発明の第１の実施の形態を説明する。
【００１３】
図１は、本実施の形態のファクシミリ装置の構成を示したブロック図である。
【００１４】
図中、１は、マイクロコンピュータ等により構成され、装置全体の制御を行うメイン制御部である。
【００１５】
２は、メイン制御部１により実行される制御プログラムを格納したＲＯＭ（リード・オンリー・メモリ）である。
【００１６】
３は、オペレータにより設定可能なデータの格納や、メイン制御部１のワークエリアとして使用されるＲＡＭ（ランダムアクセスメモリ）である。
【００１７】
４は、各種のキー（キーボード）及びそれらのキー入力構成、液晶表示器（ＬＣＤ）、発光ダイオード（ＬＥＤ）等から構成される操作部である。
【００１８】
５は、原稿の画像を光学的に読み取る読取部であり、原稿搬送機構やＣＣＤ等の読取センサなどより構成されている。
【００１９】
６は、画像データを可視的に記録する記録部であり、インクジェット方式又は電子写真方式のプリンタ等から構成されている。
【００２０】
７は、送信信号の変調／受信信号の復調を行うモデムであり、本実施の形態におけるモデムとしては、例えばＩＴＵ−Ｔ勧告のＶ．８、Ｖ．３４、Ｖ．２１、Ｖ．１７、Ｖ．２９に準拠したロックウェル社製のＲ２８８Ｆを用いている。又、８は、公衆電話回線（ＰＳＴＮ）を接続するための網制御装置（ＮＣＵ）であり、モデム７とＮＣＵ８より通信部９が構成されている。
【００２１】
図２は、本実施の形態のメイン制御部１のマイクロコンピュータ（ＣＰＵ）とモデム７の接続関係を示した図である。
【００２２】
ＣＰＵとモデム７は、システムバスにより接続されており、ＣＰＵとモデム７間のデータの送受は、システムバスを介して実行される。モデム７には、ＣＰＵに対してモデムのステータスを通知するためのレジスタ７−１が設けられている。モデム７は、レジスタ７−１にモデムの動作状況を示す情報（例えばＡｘ：モデムが画像信号受信前の再トレーニングシーケンス中であることを示す、８ｘ：モデムがコントロールフェーズ中であることを示す）を書き込み、ＣＰＵがシステムバスを介してレジスタ７−１の情報を一定時間間隔で読み出し（例えば１ｍｓ）、読み出した情報を判定することによりモデム７の動作状況を認識（把握）する。
【００２３】
又、モデム７は、画像信号の受信中にトレーニング信号のパターンが検出されると自動的に画像信号の受信からトレーニング信号の受信へ移行するモードを有しており、ＣＰＵは、かかるモードを動作状態／非動作状態に設定可能に構成されている。具体的には、モデム７には、ＲＴＤＩＳレジスタ７−２が設けられており、ＣＰＵがＲＴＤＩＳレジスタ７−２に“１”（ＯＮ）を書き込むと、ＲＴＤＩＳがＯＮ（イネーブル）となり、上記モードが非動作状態となる。又、ＣＰＵがＲＴＤＩＳレジスタ７−２に“０”（ＯＦＦ）を書き込むと、ＲＴＤＩＳがＯＦＦ（ディスイネーブル）となり、上記モードが動作状態となる。
【００２４】
ＲＴＤＩＳをＯＮにして上記モードを非動作状態とすると、モデム７は、画像信号の受信中にトレーニング信号と同じ信号パターンが受信されても画像信号の受信からトレーニング信号の検出へ移行しないので、そのまま画像信号の受信を続行する。そして、Ｖ．３４モードでの通信における信号の瞬断時に、画像信号を受信するチャネルのままで保持されるので、その画像信号の受信中に再同期が取れるとそのまま画像信号の受信を行うことができる。一方、モデム７のＲＴＤＩＳがＯＮされていると、モデム７は、画像信号の終わりに付加されている（画像信号のブロックの終わりに付加されている）ところのＲＣＰ信号（コントロールチャネルの信号通信へ移行するための信号）を検出した場合にのみ、このＲＴＤＩＳを自動的にＯＦＦしてコントロールチャネルの通信へ移行する。この為に、画像信号の受信中に信号の瞬断等によりモデム７が発散してしまいＲＣＰ信号を検出できないと、モデム７は、コントロールチャネルの信号通信へ移行できず、後手順を行うことができず通信がエラー終了してしまう。
【００２５】
又、ＲＴＤＩＳをＯＦＦにして上記モードを動作状態にすると、ＲＣＰ信号が正常に受信され検出されなくても、画像信号の受信からコントロールチャネルの信号通信へ移行できるので、後手順を行うことができる。一方、モデム７のＲＴＤＩＳがＯＦＦされていると、受信された画信号中にトレーニング信号と同じパターンが含まれていた場合、モデム７は、画信号中のそのパターンをトレーニング信号と誤検出してしまい、モデム内のイコライザを初期状態にして発散してしまうために、それ以降の画像信号の受信ができなくなってしまう。又、信号の瞬断が発生した場合には、すぐに画像信号の受信からコントロールチャネルの信号通信へ移行してしまうために、通信途中でタイムアウトしてしまう場合がある。
【００２６】
次に、上述のモデム７のＲＴＤＩＳがＯＮに設定されていて、画像受信が正常に行われた場合の通信シーケンスについて説明する。
【００２７】
図３は、正常な通信時の通信シーケンスを示した図である。図３に示す１段目の信号は、実際に回線に出力されている信号である。２段目の信号は送信機側のの送信動作状態を示したものであり、（  ）内に示す数字はその動作状態を示すステータスであり、この信号は受信機で認識することができる。３段目の信号は受信機側の受信動作状態を示したものであり、（  ）内に示す数字は同様にその動作状態を示すステータスである。４段目のＲＴＤＩＳは、上述した受信機側のモデム７のトレーニング信号の自動認識機能を動作状態／非動作状態に設定するための制御信号であり、このＲＴＤＩＳがＯＮ（イネーブル）であれば受信機側のモデム７は、トレーニング信号のパターン検出に応じたトレーニング信号の受信処理への移行を行わず、画像信号の終わりに付加されているＲＣＰ信号の検出によりコントロールチャネルの信号通信へ移行する。又、ＲＴＤＩＳがＯＦＦ（ディスエーブル）であれば、トレーニング信号のパターン検出に応じたトレーニング信号の受信処理への移行を行う。通常、このＲＴＤＩＳは、ＯＮに設定されている。
【００２８】
図４は、受信機側のＣＰＵの通信処理動作（ＲＯＭに格納されているプログラムに基づいて実行される処理）を示したフローチャートで示したものである。図４では、図３と同様に通信のコントロールフェイズ（８４）からのフローチャートを示す。
【００２９】
ステップＳ２０１では、コントロールフェーズ（８４）に入りＩＴＵ勧告に示されるＴ．３０ハンドシェイクを行う。
【００３０】
ステップＳ２０２では、ＰＩＸ（画像）信号受信前に再トレーニングシーケンス（Ａｘ）を実施する。
【００３１】
ステップＳ２０３では、ＰＩＸ信号（Ａ３）の受信を開始する。
【００３２】
ステップＳ２０４では、受信機側のモデム７のステータスがコントロールフェーズ（８ｘ）に入っているかどうかを判断する。コントロールフェーズ（８ｘ）に入っていればステップＳ２０８に進み、入っていなければステップＳ２０５に進む。ただし、ＲＴＤＩＳがＯＮの場合、モデム７は、画像信号の受信中の回線信号の瞬断の有無に拘らずステータスをコントロールフェーズ（８ｘ）に設定しないない（コントロールフェーズの移行しない）ので、ステップＳ２０４の判定はＮＯとなる。他方、ＲＴＤＩＳがＯＦＦの場合、モデム７は、画像信号の受信中にトレーニング信号のパターンを検出する又は回線信号の瞬断を検出すると、自動的にコントロールフェーズに移行して、ステータスをコントロールフェーズ（８ｘ）に設定する。その場合、ステップＳ２０４からステップＳ２０８に進むことになる。
【００３３】
ステップＳ２０５では、ＰＩＸ信号の終了信号であるＲＣＰ信号を受信したかどうかを判断し、これが受信されたならばステップＳ２０６に進む、受信されていなければステップＳ２０３に戻りＰＩＸ信号の受信を継続する。
【００３４】
ステップＳ２０６では、モデム７にターンオフシーケンス（Ａ０）を実施させる。
【００３５】
そして、ステップＳ２０７に進み、モデム７をコントロールフェーズ（８ｘ）に設定し、通信終了手順を実行させる。
【００３６】
ステップＳ２０８では、タイマＴ２をスタートする。タイマＴ２はＩＴＵ勧告Ｖ．３４に規定されているタイマであり、命令検索を始めた時にスタートし、命令が受信されるかタイムアウトした時にリセットされる。また、このタイマＴ２は６±１秒と規定されている。
【００３７】
そして、ステップＳ２０９では、ＩＴＵ勧告に示されるＶ．３４通信のハンドシェイクを行なう。このＶ．３４通信のハンドシェイクが終了したならばステップＳ２１０に進み、終了していなければステップＳ２１２に進む。
【００３８】
ステップＳ２１２では、タイマーＴ２がタイムアウトしていないかどうかを判断する。タイムアウトしていればステップＳ２１３に進み、通信はエラー終了し、回線は開放される。タイムアウトしていなければステップＳ２０９に戻り同様の処理を行なう。
【００３９】
ステップＳ２１０では、次の原稿があるかどうかを判断し、原稿がある場合にはステップＳ２０２に戻り同様の処理を行い、原稿が無ければステップＳ２１１に進み回線を開放して通信は終了する。
【００４０】
上述のフローにおいて、ＲＴＤＩＳがＯＮで通信が正常に実行された場合には、図３に示した様な通信シーケンスとなる。又、回線信号の瞬断等によりモデム７が発散してしまいＲＣＰ信号が正常に受信されない場合には、ステップＳ２０５でＲＣＰ信号の受信を検出できないので、最終的には通信はエラー終了してしまうことになる。
【００４１】
又、上述のモデム７のＲＴＤＩＳがＯＦＦに設定されていて、画像信号の受信中に回線上の信号の瞬断が発生した場合の通信シーケンスを、図５に示す。
【００４２】
この図５に示している各信号も、図３で説明したものと同様である。図５に示すようにＲＴＤＩＳがＯＦＦに設定されていて、瞬断等の要因によりＰＩＸ信号の同期が保持できなくなった場合、受信機側のモデム７は瞬断したその瞬間からコントロールフェーズ（８ｘ）に移行してしまう。つまり、受信機側のモデム７は、コントロールフェーズ（８ｘ）の制御信号（Ｖ．３４通信の制御信号のＳｈ信号、ＡＬＴ信号、Ｅ信号）待ちになる。従って、ＣＰＵは、図４のステップＳ２０４からステップＳ２０８に進み、ステップＳ２０８でＴ２タイマをスタートさせる。しかし、図５に示すように送信機側はＰＩＸ信号送信中であるので、受信機側は、コントロールフェーズ（８ｘ）の制御信号を受信することができない。この為、受信機側のモデム７は、回線信号が瞬断した時点からコントロールフェーズ（８４）に移行してしまい、タイマーＴ２のタイムアウトまでに命令受信（Ｑ信号）がなければ、その通信はエラー終了してしまうことになる。
【００４３】
図６は、上述のモデム７のＲＴＤＩＳを画像信号の受信中にＯＮに設定した場合の通信シーケンスを示した図である。この図６に示している各信号は、図３で説明したものと同様である。図６に示すようにＲＴＤＩＳがＯＮの時に瞬断等の要因によりＰＩＸ信号（画像信号）の同期が保持できなくなった場合、受信機側はＰＩＸ信号の終了信号（ＲＣＰ信号）を検出できなくなり、図４のフローチャートに示すように受信機側のＣＰＵは、やはりステップＳ２０５から進むことができなくなる。つまり、受信機側のＣＰＵは、コントロールフェーズ（８ｘ）に入れず図４のステップＳ２０３とＳ２０５のループを繰り返す事になる。そして、送信機がＰＩＸ信号の送信を終了してコントロールフェーズ（８４）まで進み、強制的に回線を断するまで、受信機は回線を補足したままであり、通信はエラー終了となる。
【００４４】
そこで、本実施の形態では、画像信号の受信中に、上述のモデム７のＲＴＤＩＳのＯＮ・ＯＦＦを切換えて設定することにより、画像信号の受信中に、回線信号の瞬断が発生しても適切に画像信号の受信からコントロールチャネルの信号通信へ移行可能とする。
【００４５】
図７は、本実施の形態の通信シーケンスを示した図である。この図７に示されている各信号は、上述の図３で説明したものと同様である。ここでは、ＲＴＤＩＳはＨｉがＯＮ（イネーブル）でＬｏｗがＯＦＦ（ディスイネーブル）としている。
【００４６】
図８、図９は、図７に示された本実施の形態のＣＰＵの受信処理の制御動作を示したフローチャートである。図８、図９では、図７と同様に通信のコントロールフェーズ（８４）からのフローチャートを示す。以下にその動作を説明する。
【００４７】
ステップＳ６０１では、コントロールフェーズ（８４）に入りＩＴＵ勧告に示されるＶ．３４通信のハンドシェイクを実行させる。
【００４８】
ステップＳ６０２では、ＰＩＸ（画像）信号受信前にモデム７に再トレーニングシーケンス（Ａｘ）を実行させる。
【００４９】
ステップＳ６０３では、ＰＩＸ信号の受信（Ａ３）をトリガとして、モデム７のＲＴＤＩＳをイネーブルに設定（ＲＴＤＩＳを“１”に設定）し、ステップＳ６０４に進みＰＩＸ信号の受信（Ａ３）を開始させる。
【００５０】
ステップＳ６０５では、モデム７のステータスがコントロールフェーズ（８ｘ）に入っているかどうかを判断する。コントロールフェーズ（８ｘ）に入っていればステップＳ６１３に進み、入っていなければステップＳ６０６に進む。
【００５１】
ステップＳ６０６では、モデム７からＣＰＵに出力されるＰＩＸ信号（Ａ３）のＥＱＭ（Ｅｙｅ  Ｑｕａｌｉｔｙ  Ｍｏｎｉｔｏｒ）値を入力し、その入力した値をチェックする。そして、何らかの要因でＥＱＭ値が正常値に比べて非常に大きく、モデム７によるＰＩＸ信号の復調が発散していると判断されたならば、すなわち瞬断等でＰＩＸ信号の復調のための同期が保持できなくなっている場合はステップＳ６１１に進み、正常であればステップＳ６０７に進む。ここでは、モデム７によるＰＩＸ信号の受信復調の状態（良否）判定にＥＱＭ値を用いているが、特にＥＱＭ値だけではなくＣＤ（Ｃａｒｅｅｒ  Ｄｅｔｅｃｔ）やＦＥＤ（Ｆａｓｔ  Ｅｎｅｒｇｙ  Ｄｅｔｅｃｔｏｒ）信号等を用いてもよい事はいうまでもない。
【００５２】
ステップＳ６０７に進んだ場合は、モデム７から出力されるＰＩＸ信号の終了信号であるＲＣＰ信号を監視し、ＲＣＰ信号を受信したならばステップＳ６０８に進み、ＲＣＰ信号が受信されないならばステップＳ６０４に戻り上記と同様の処理を繰り返す。
【００５３】
ステップＳ６０８では、モデム７のＲＴＤＩＳを上述のコントロールフェーズの制御信号を受信できるようにＯＦＦに設定（ＲＴＤＩＳを“０”に設定）する。
【００５４】
ステップＳ６０６からステップＳ６１１に進むと、その瞬間にスタートするＲＴＤＩＳの制御タイマＴｒがタイムアウトしているかどうかを判断する。このタイマＴｒは任意の値が設定可能であるが、本実施の形態ではタイマＴｒを約１秒としている。そして、タイマＴｒがタイムアウトしてないならば、そのままステップＳ６０７に進み、タイムアウトしているならばステップＳ６１２に進む。
【００５５】
ステップＳ６１２では、モデム７のＲＴＤＩＳをＯＦＦにセットして、ステップＳ６０７に進む。すなわち、ステップＳ６０６でＥＱＭ値が正常でなく、モデム７によるＰＩＸ信号の受信復調が発散していると判断した場合は、ステップＳ６１１のルーチンに入り、任意の設定時間Ｔｒ経過後にモデム７のＲＴＤＩＳをＯＦＦにセットする。そして、ＲＴＤＩＳをＯＦＦに設定することにより、モデム７（受信機側）は、ＰＩＸ信号待ちのフェーズ（画像信号の受信）より、コントロール信号待ちのフェーズ（コントロールチャネルの信号通信）に切り替わる。従って、ＲＣＰ信号が受信できない場合であっても、モデム７のステータスがコントロールフェーズ（８ｘ）に移行したことを検出することにより、ＰＩＸ信号受信のルーチンより抜けることが可能となる為、上述の図６で述べたように、ＰＩＸ信号フェーズから抜けれなくなることはない。
【００５６】
以上のように、ＣＰＵがモデム７のＲＴＤＩＳをＰＩＸ信号受信中に制御することにより、回線信号の瞬断等の要因によってモデム７がＰＩＸ信号の受信復調の同期が保持できなくなった場合も、その通信がエラー終了することなく、正常に継続することが可能となる。
【００５７】
図１０は、本実施の形態の通信シーケンスの一例を示した図であり、ここでは１ページのＰＩＸ信号受信中に２回の瞬断が発生した場合を示している。この図１０に示した各信号は、上述の図３で説明したものと同様である。また、この通信シーケンスは、上述の図８、図９のフローチャートに示したＣＰＵの処理により実行されるものである。以下に、図１０の通信シーケンスについて説明する。
【００５８】
まず、ＰＩＸ受信中に１回目の瞬断が加わり、ＣＰＵ（受信機側）は、ステップＳ６０６からステップＳ６１２に進み、モデム７のＲＴＤＩＳをＯＦＦにセットして、ＰＩＸ信号受信状態から抜ける条件としてコントロールフェーズのステータス（８ｘ）を待つ状態となる。この時に再度回線信号の瞬断が加わった場合、上述の図５と同様に、受信機側のモデム７は瞬断したその瞬間からコントロールフェーズ（８ｘ）に移行する。そして、ＣＰＵは、ステップＳ６１３に示すようにＴｘタイマをスタートさせる。このＴｘタイマは任意に設定可能である。本実施の形態では、約６秒に設定している。
【００５９】
その後、ＣＰＵは、ステップＳ６１４に進み、モデム７（受信機側）のステータスが（８４）に移行しているかどうかを判断する。モデム７のステータスが（８４）に移行していれば、ステップＳ６１６に進み、モデム７のステータス（８４）に移行していなかった場合、ステップＳ６１５に進む。
【００６０】
ステップＳ６１５では、ＣＰＵはＴｘタイマがタイムアウトしているかどうかを判断する。すなわち、ＣＰＵは、このタイマＴｘ内にコントロールフェーズ（８ｘ）の各信号（Ｓｈ信号、＊Ｓｈ信号、ＡＬＴ信号、Ｅ信号）が順次受信されているかを判断する。タイムアウトしていなければステップＳ６１４に戻り、同様に繰り返す。タイムアウトしているならば、ステップＳ６２１に進み強制的に回線を開放する。つまり、２回目の瞬断後のＰＩＸ信号の残りのデータが、Ｔｘタイムアウト内であれば通信は正常に継続することができるが、それ以上であれば異常であると判断して通信を強制的に終了させる。
【００６１】
ステップＳ６１６以降は、上述の図４に示したフローチャートのステップＳ２０８以降と同様である。
【００６２】
以上のように、ＣＰＵがモデム７のＲＴＤＩＳをＰＩＸ信号受信中に制御すると共に、コントロールフェーズ（８ｘ）ループ内にタイマを設けることにより、複数回の瞬断に対しても設定した時間内にコントロールフェーズ（８ｘ）の信号を受信することができれば、正常に動作することを可能としている。
【００６３】
次に、上述の制御信号受信中に瞬断等が発生した場合の制御例を説明する。
【００６４】
上述の実施の形態では、モデム７がＰＩＸ信号中に同期が保持できなくなった場合について述べた。ここでは、コントロールフェーズ（８ｘ）での制御信号（Ｓｈ信号、＊Ｓｈ信号、ＡＬＴ信号、Ｅ信号）が何らかの要因によって受信できなかった場合について述べる。
【００６５】
図１１は、コントロールフェーズ（８ｘ）の制御信号が受信できなかった場合の通信シーケンスを示した図である。図１１では、ＰＩＸ信号通信以降を表している。図１１に示す１段目の信号は、実際に回線に出力されている信号である。２段目の信号は送信機の送信動作状態を示したものであり、（  ）内に示す数字は送信機側のモデムの動作状態を示すステータスであり、これらの制御信号は受信機で受信され認識することができる。３段目の信号は送信機側が送信するＱ信号を示している。４段目の信号は受信機側の受信動作状態を示したものであり、（  ）内に示す数字は同様に、受信機側のモデム７の動作状態を示すステータスである。
【００６６】
図１１に示すように、受信機及び送信機のモデムが共にコントロールフェーズ（８ｘ）に入っている時に、何らかの要因で制御信号（Ｓｈ信号、＊Ｓｈ信号、ＡＬＴ信号、Ｅ信号）が受信できない場合にはＩＴＵ勧告（Ｖ．３４）に示されるリトレーン制御を実施する。しかし、この制御は、モデム７の内部タイマ（Ｔｍ）がある一定時間経過してタイムアウトしなければ実行されない。またこのタイマ値は固定値（約３．４秒）である為に、図１１に示すように、送信機側は、第１のコントロールフェーズ（８４）にて、受信機側がコントロールフェーズ（８４）に移行していないにも関わらず、Ｑ信号を３秒間隔で２回送信してしまう。すなわち、受信機は、リトレーンが発生した場合にはＱ信号を必ず２回取り逃す為、最後のＱ信号を外来ノイズ等で受信できなかった場合には、通信エラーになってしまう。
【００６７】
そこで、本実施の形態では、図１２に示すような制御を実施している。図１２に示す各信号は、図１１に示すものと同様である。
【００６８】
本実施の形態では図１２に示すように、何らかの要因でリトレーン制御を実施された場合、モデム７の内部タイマ（Ｔｍ）を任意に設定して、リトレーン制御に入るタイミングを早くしている。すなわち、送信機が２回目のＱ信号を送出する前に、リトレーン制御を実施できるように、モデム内部タイマ（Ｔｍ）を設定している。本実施の形態では約２．１秒としている。従って、送信機はリトレーン後のコントロールフェーズ（８４）にてＱ信号を２回送信することが可能である為、もし、受信機が外来ノイズの影響で２回目のＱ信号が受信できなくても、３回目のＱ信号は受信することが可能となる。
【００６９】
以上のように、モデム内部タイマ（Ｔｍ）を任意に設定し受信機のリトレーンタイミングを早くして、２回目のＱ信号を受信可能にすることにより、通信エラーの確率を低減する事を可能としている。
【００７０】
以上の説明したように、モデム７のＲＴＤＩＳ信号をＰＩＸ信号受信中に制御することにより、瞬断等の要因によってＰＩＸ信号同期が保持できなくなった場合も、通信をエラー終了することなく、正常に継続することを可能としている。
【００７１】
また、ＲＴＤＩＳ信号をＰＩＸ信号受信中に制御すると共に、コントロールフェーズ（８ｘ）ループ内にタイマを設けることにより、複数回の瞬断に対しても正常に通信することを可能としている。
【００７２】
又、本発明は、上述した実施の形態に限らず種々の変形が可能である。
【００７３】
【発明の効果】
以上の様に、本発明によれば、データ通信中に信号の瞬断が発生しても、データ通信から適切に制御信号の通信へ移行することが可能となり、通信を継続することができる。
【００７４】
又、制御信号の通信中に、信号の瞬断が発生しても、適切に制御信号の通信を続行できる。
【図面の簡単な説明】
【図１】本実施の形態のファクシミリ装置の構成を示したブロック図である。
【図２】本実施の形態のファクシミリ装置におけるＣＰＵとモデムの接続関係を示した図である。
【図３】正常な通信シーケンスの例を示した図である。
【図４】ＣＰＵによる受信処理を示したフローチャートである。
【図５】画像信号の通信中に信号の瞬断が発生した場合の通信シーケンスの例を示した図である。
【図６】画像信号の通信中に信号の瞬断が発生した場合の通信シーケンスの例を示した図である。
【図７】本実施の形態の画像信号の通信中に信号の瞬断が発生した場合の通信シーケンスの例を示した図である。
【図８】本実施の形態のＣＰＵによる受信処理を示したフローチャートである。
【図９】本実施の形態のＣＰＵによる受信処理を示したフローチャートである。
【図１０】本実施の形態の画像信号の通信中に信号の手段が発生した場合の通信シーケンスの例を示した図である。
【図１１】制御信号の通信中に信号の瞬断が発生した場合の通信シーケンスの例を示した図である。
【図１２】本実施の形態の制御信号の通信中に信号の瞬断が発生した場合の通信シーケンスの例を示した図である。
【符号の説明】
１  メイン制御部（ＣＰＵ）
２  ＲＯＭ
３  ＲＡＭ
４  操作部
５  読取部
６  記録部
７  モデム
８  ＮＣＵ
９  通信部
１０  通信装置本体
【図１】
0003610185.tif 000002
【図２】
0003610185.tif 000003
【図３】
0003610185.tif 000004
【図４】
0003610185.tif 000005
【図５】
0003610185.tif 000006
【図６】
0003610185.tif 000007
【図７】
0003610185.tif 000008
【図８】
0003610185.tif 000009
【図９】
0003610185.tif 000010
【図１０】
0003610185.tif 000011
【図１１】
0003610185.tif 000012
【図１２】
0003610185.tif 000013